(57)【要約】      （修正有）【課題】装置の構成を簡素化することができる、遺伝子などを解析する解析容器を提供する。【解決手段】解析容器１１は、本体と、本体内に設けられ、表面に形成された溝に沿って流体を移動させる流体回路面１１ａと、本体の下部に設けられている滑動面２８と、を備えている。解析容器１１は、解析装置の解析容器設置トレイに取り付けられる。この状態で解析容器１１に遠心力が加わると、解析容器１１は、滑動面２８によって解析容器設置トレイの解析容器設置面を滑り得る。複数の回転機構を有することなく、解析容器１１の解析容器設置トレイ上の位置を変えることができる。【選択図】図３
2016217763.tif 000002
【特許請求の範囲】
【請求項１】
本体と、
前記本体内に設けられ、表面に形成された溝に沿って流体を移動させる流体回路面と、
前記本体の下部に設けられている滑動面と、
を備えた解析容器。
【請求項２】
前記本体は、前記流体回路面に平行な面に沿った断面視において、略四角形状を有している、
請求項１に記載の解析容器。
【請求項３】
前記本体は、略立方体形状である、
請求項１または２に記載の解析容器。
【請求項４】
前記流体回路面の下層に設けられた廃液貯蔵層を、さらに備えている、
請求項１から３のいずれか１つに記載の解析容器。
【請求項５】
前記滑動面に設けられており、前記解析容器の移動を案内するガイド機構を、さらに備えている、
請求項１から４のいずれか一つに記載の解析容器。
【請求項６】
前記流体回路面は、同一平面内に反時計回りに配置された少なくとも４つの点Ａ，Ｂ，Ｃ，Ｄ（点Ａ，点Ｃ、および点Ｂ，点Ｄはそれぞれ対角線上に配置）によって囲まれており、
前記流体回路面には、第１のチャンバと、前記第１のチャンバよりも点Ｃから遠く、前記点Ｃに対して対角線上に配置された前記点Ａから近くなるように配置された第２のチャンバと、を有するチャンバペアと、前記第１のチャンバと前記第２のチャンバとの間を繋ぐ流路と、が設けられている、
請求項１から５のいずれか一つに記載の解析容器。
【請求項７】
前記流体回路面には、前記チャンバペアと前記流路との組合せが少なくとも２つ設けられており、
前記流体回路面には、第１組の前記チャンバペアの第２のチャンバに対して流路によって接続された第３のチャンバがさらに設けられており、
前記第３のチャンバは、前記第１組のチャンバペアの前記第２のチャンバ及び第２組のチャンバペアの前記第２のチャンバよりも前記点Ｂに近く、前記点Ｂに対して対角線上に配置された前記点Ｄからは遠くなるよう配置されている、
請求項６に記載の解析容器。
【請求項８】
前記流体回路面には、前記チャンバペアと前記流路との組合せが少なくとも２つ設けられており、
第２組の前記チャンバペアの第２のチャンバと第１組の前記チャンバペアの第１のチャンバとが流路によって接続され、
前記第２組の前記チャンバペアの第２のチャンバは、前記第１組の前記チャンバペアの第２のチャンバよりも前記点Ｄに近く、前記点Ｄに対して対角線上に配置された前記点Ｂからは遠くなるように配置されている、
請求項６に記載の解析容器。
【請求項９】
前記第１のチャンバには、液体試薬が入れられる、
請求項６から８のいずれか一つに記載の解析容器。
【発明の詳細な説明】
【技術分野】
【０００１】
本発明は、例えば、遺伝子などの解析容器に関するものである。
【背景技術】
【０００２】
従来の解析装置は、解析容器内に注入された液体検体の解析を行うために用いられている。この解析容器内には、液体検体を処理するための流路が設けられている。この流路に注入された液体検体には、毛細管現象による表面張力や、解析容器を回転させることによって発生する遠心力が掛かることによって、液体検体は、流路内を所定の経路に沿って順に流れていくよう構成されている。
例えば、解析容器に対して掛かる遠心力の方向を変えることで、液体検体が移動する方向を変化させるように構成された解析装置が、特許文献１，２に記載されている。
これらの解析装置は、トレイに設置された解析容器に対してトレイを回転させる公転のための回転機構と、解析容器自体の位置を前記トレイに対して回転させる自転のための回転機構とを備えている。
【先行技術文献】
【特許文献】
【０００３】
【特許文献１】特許第４９０１３３３号公報
【特許文献２】特許第５３５９９６５号公報
【発明の概要】
【発明が解決しようとする課題】
【０００４】
前記従来例における課題は、装置の構成が複雑になることであった。
すなわち、上記従来例においては、解析容器に対する遠心力の向きを変えるために、解析容器を設置したトレイを回転するための回転機構と、解析容器自体をトレイに対して回転するための回転機構とがそれぞれ必要になる。このため、複数の機構部品を組み合わせることが必要となり、装置の構成が複雑になってしまうおそれがある。
そこで本発明は、装置の構成を簡素化することを目的とするものである。
【課題を解決するための手段】
【０００５】
そしてこの目的を達成するために、本発明の解析容器は、本体と、本体内に設けられ、表面に形成された溝に沿って流体を移動させる流体回路面と、本体の下部に設けられている滑動面と、を備えている。
【発明の効果】
【０００６】
以上のように本発明の構成によれば、装置の構成を簡素化することができる。
すなわち、本発明の解析容器は、解析装置の解析容器設置トレイに取り付けられる。この状態で解析容器に遠心力が加わると、解析容器は、滑動面によって解析容器設置トレイの解析容器設置面を滑り得る。よって、解析容器の解析容器設置トレイ上の位置を変えることができる。
その結果、解析容器に対する解析容器設置トレイの回転中心位置が変わるので、解析容器に対する遠心力の向きを変えることができる。
これにより、先行技術のような複数の回転機構を有することなく、解析容器に対する遠心力の向きを変えることが可能となるので、装置の構成を簡素化することができる。
【図面の簡単な説明】
【０００７】
【図１】本発明の一実施形態を示す解析装置の斜視図。
【図２】本発明の一実施形態を示す解析装置の機能ブロック図。
【図３】本発明の一実施形態を示す解析容器の斜視図。
【図４】本発明の一実施形態を示す解析装置の要部の斜視図。
【図５】本発明の一実施形態を示す解析装置と解析容器の斜視図。
【図６】本発明の一実施形態を示す解析装置の要部の斜視図。
【図７】本発明の一実施形態を示す解析装置の要部の上面図。
【図８】本発明の一実施形態を示す解析容器の要部の側方図。
【図９】本発明の一実施形態を示す解析装置の要部の断面図。
【図１０】本発明の一実施形態を示す解析装置の要部の下面図。
【図１１】（ａ）〜（ｄ）は、本発明の一実施形態を示す解析装置の要部の斜視図。
【図１２】本発明の一実施形態を示す解析容器の要部の組図。
【図１３】本発明の一実施形態を示す解析容器の上面図。
【図１４】本発明の一実施形態を示す解析容器の断面図。
【図１５】本発明の一実施形態を示す解析容器の上面図。
【図１６】解析工程のフローチャート。
【図１７】本発明の一実施形態を示す解析容器の上面図。
【図１８】本発明の一実施形態を示す解析容器の上面図。
【図１９】本発明の一実施形態を示す解析容器の上面図。
【図２０】本発明の一実施形態を示す解析容器の上面図。
【図２１】本発明の一実施形態を示す解析容器の上面図。
【図２２】本発明の一実施形態を示す解析容器の上面図。
【図２３】本発明の一実施形態を示す解析容器の上面図。
【図２４】本発明の一実施形態を示す解析容器の上面図。
【図２５】本発明の一実施形態を示す解析容器の上面図。
【図２６】本発明の一実施形態を示す解析容器の上面図。
【図２７】本発明の一実施形態を示す解析容器の上面図。
【図２８】本発明の一実施形態を示す解析容器の上面図。
【図２９】本発明の一実施形態を示す解析容器の上面図。
【図３０】本発明の一実施形態を示す解析容器の上面図。
【図３１】本発明の一実施形態におけるチャンバの断面図。
【図３２】（ａ）および（ｂ）は、本発明の一実施形態を示す解析装置の要部の側面図。
【図３３】（ａ）〜（ｃ）は、本発明の一実施形態におけるチャンバの斜視図。
【図３４】本発明の一実施形態に係る解析装置による解析工程の流れを示すフローチャート。
【発明を実施するための形態】
【０００８】
本発明の一実施形態に係る装置について、図１〜図３４を用いて説明すれば以下の通りである。
以下、本発明の一実施形態に係る解析容器およびにこれを用いた解析装置を、遺伝子解析装置に適用した例について、添付図面を用いて説明する。
（実施の形態１）
＜装置の構成＞
図１には、遺伝子解析装置の透視図を斜視図で示す。図１おいて、本体ケース１は、その上面に、解析容器を挿入するための開口部２を有している。開口部２の下方には、解析容器を設置するための解析容器設置トレイ３が設けられている。
本体ケース１内において、この解析容器設置トレイ３は、回転軸４を介して、回転駆動部５に繋がっている。
回転軸４は、鉛直方向に対して傾斜角度を有するように配置されている。このため、この回転軸４に繋がっている解析容器設置トレイ３の解析容器設置面は、水平方向に対して傾斜角度を有している。
本体ケース１の前方には、例えば、遺伝子の解析結果や、装置の状態を表示する表示部６と、装置の操作を行うための操作部７が設けられている。
【０００９】
＜装置の機能ブロック図＞
図２に、遺伝子解析装置の機能ブロック図を示す。
本体ケース１内には、上記の構成に加えて、回転駆動部５の回転を制御する制御部８と、解析容器の解析結果を光学的に検出する光学検出部９と、装置内の温度を制御する温度制御部１０が設けられている。
＜解析容器の説明＞
図３に解析容器１１の斜視図を示す。解析容器１１は、外形が略立方体形状である。この解析容器１１の横断面（流体回路面１１ａに平行な断面）形状は、ほぼ四角形となっている。
解析容器１１の上面に設けられた流体回路面１１ａには、液体検体と液体試薬をそれぞれ格納・分注する複数のチャンバと、それら複数のチャンバ同士を接続する流路とが設けられている。
図４に示すように、解析容器１１は、装置上面の開口部２を介して、装置内部に設けられた解析容器設置トレイ３上に載置される。
【００１０】
＜解析容器設置トレイ３と回転駆動部５の構成＞
図５に、解析容器設置トレイ３と回転駆動部５の構成を示す。
解析容器設置トレイ３は、回転軸４を介して、回転駆動部５と連結されている。上述したように、回転軸４は、鉛直方向に対して傾斜角度を有していている。このため、解析容器設置トレイ３の解析容器設置面１２は、回転軸４に対して略垂直に繋がっているため、水平方向に対して傾斜角度を有する。
そのため、解析容器設置面１２に設置された解析容器１１は、傾斜面上において生じる重力と、回転駆動部５による解析容器設置トレイ３の揺動とによって、矢印１３の方向に向けて解析容器設置面１２上を滑動する。そして、解析容器１１は、解析容器設置面１２の外周側において、略垂直に突出した内壁１４に当接した状態で固定される。
【００１１】
ここで、解析容器設置面１２と解析容器１１の下面に設けられた滑動面２８との間に生じる静止摩擦力は、解析容器設置面１２の傾斜によって解析容器１１を移動させようとする重力より大きくなるように設定されている。このため、解析容器１１は、解析容器設置面１２の傾斜だけでは動かない。一方、解析容器設置トレイ３を揺動させた場合には、解析容器設置面１２と解析容器１１の滑動面２８との間に働く静止摩擦力の影響が低減し、解析容器１１は重力によって傾斜面上を所定の方向に滑りながら移動する。
よって、制御部８は、回転駆動部５の回転を制御するとともに、揺動を制御することで、解析容器１１を所望の方向へ移動させることができる。また、解析容器１１を任意の方向に移動させる必要があるため、制御部８は、任意の回転角度で解析容器設置トレイ３を停止させる制御も行う。
【００１２】
＜解析容器設置トレイ３と解析容器１１との関係＞
図６は、解析容器設置トレイ３と解析容器１１との関係を示している。
解析容器設置面１２は、回転中心となるほぼ中央部分に、解析容器設置面１２に対して、ほぼ垂直に突出した柱状の突起１５を有している。解析容器設置トレイ３の上面形状は、ほぼ円状となっている。そして、解析容器設置トレイ３の上面には、同一円周上における９０度間隔ごとに対向する位置に内壁１４が設けられている。
立方体形状の解析容器１１の上面の一辺の長さは、円状の解析容器設置トレイ３の円状となる上面形状の、半径の長さにほぼ等しい。このため、柱状の突起１５と内壁１４との間の長さは、解析容器１１の上面の一辺の長さに比べて、１ｍｍ程度長くなっているが、実質的にはほぼ等しい。
【００１３】
その結果、内壁１４と柱状の突起１５とがガイドとなって、解析容器１１を誘導することができる。よって、解析容器１１は、解析容器設置面１２の傾斜に沿って、対向する内壁１４の位置まで正確に移動することが可能となる。
例えば、図６に示す矢印１３の方向に向けて、解析容器１１が移動する場合には、解析容器１１は、内壁１４ｂと突起１５とに挟まれた状態で、内壁１４ａから内壁１４ｃまでを移動する。この移動中に、内壁１４ｂと突起１５とが解析容器１１をガイドするため、解析容器１１は、正確に内壁１４ａから、その対向する内壁１４ｃに向けて移動し、固定される。
図７は、解析容器１１の配置と遠心力の関係を示している。
なお、図７では、説明の便宜上、解析容器設置トレイ３上に、３つの解析容器１１が配置されているように示されているが、実際には、各工程において解析容器設置トレイ３上を移動していく１つの解析容器１１を示している。
解析容器１１には、解析容器設置トレイ３上における位置に応じて、遠心力が働く向きが変化する。
【００１４】
例えば、解析容器１１が図７における左上のコーナに配置された場合には、回転中心１６は解析容器１１の右下になるので、遠心力が働く向きは、矢印１７ａの向きとして、解析容器１１の右下から左上の対角線の向きとなる。
解析容器１１が図面上の左下のコーナに配置された場合には、回転中心１６は解析容器１１の右上になる。よって、解析容器１１に働く遠心力は、矢印１７ｂの向き、つまり解析容器１１の右上から左下の対角線の向きとなる。
解析容器１１が図面上の右下のコーナに配置された場合には、回転中心１６は解析容器１１の左上になる。よって、解析容器１１に働く遠心力は、矢印１７ｃの向き、つまり解析容器１１の左上から右下の対角線の向きとなる。
【００１５】
＜ガイドレールの説明＞
図８は、解析容器１１の側面図、図９は、解析容器設置トレイ３の縦断面図をそれぞれ示す。
解析容器１１は、解析容器設置面１２の傾斜に沿って正確に移動することができるようにガイド機構を有している。そして、図８に示すように、解析容器１１の下面の滑動面２８側には、凸形状のガイド２０が設けられている。また、図９に示すように、解析容器設置面１２側には、凹形状のレール２１が形成されている。
【００１６】
＜解析容器検出部の説明＞
解析容器検出部の構成を図３２に示す。
解析容器設置トレイ３上における解析容器１１の位置は、解析容器検出部によって検知される。
解析容器検出部は、解析容器設置トレイ３を上下に挟むように設けられた光出力部としてのＬＥＤ（解析容器検出部）８２と、受光部としてのフォトセンサ（解析容器検出部）８３とを有している。
例えば、解析容器検出部が設けられた位置に対して、解析容器１１が移動していない場合には、図３２（ａ）に示すように、ＬＥＤ８２からの光がフォトセンサ８３にそのまま入る。これにより、フォトセンサ８３において光を検出することで、解析容器１１が所定の位置にないことを検出することができる。
一方、解析容器検出部が設けられた位置に対して、解析容器１１が移動した場合には、図３２（ｂ）に示すように、ＬＥＤ８２からの光は解析容器１１で遮断され、フォトセンサ８３には直接入らない。これにより、フォトセンサ８３において光が検出されないことで、解析容器１１が所定の位置にあることを検出することができる。
つまり、本実施形態の解析装置では、フォトセンサ８３の受光状態を判定することで、解析容器１１が移動したか否かを判定することが可能となる。
【００１７】
＜バランスボールの説明＞
図１０は、解析容器設置トレイ３を下面から見た図を示す。
本実施形態においては、解析容器設置トレイ３に設置された解析容器１１は、位置を変更可能に構成されているが、解析容器設置トレイ３自体が回転するために、解析容器１１の位置に応じて、回転のバランスを取る必要がある。
そこで、本実施形態においては、解析容器１１の重さを相殺しながら解析容器１１と回転のバランスを取るために、解析容器１１が設置される場所の対角上の位置にバランスボール２２を移動させる。
このバランスボール２２を解析容器１１が設置される場所の対角上の位置に配置することによって、解析容器１１の位置が変化しても回転のバランスを取ることができる。よって、回転時に生じるアンバランスによって生じる音や、振動を抑制することが可能となる。
【００１８】
図１１（ａ）〜図１１（ｃ）は、バランスボール２２を配置する工程を示す。
図１１（ａ）は、解析容器設置トレイ３が高速に回転している状態を示す。
この状態では、解析容器１１が解析容器設置トレイ３の右上に位置しているのに対して、バランスボール２２は、回転のバランスを保つために、左下に配置されている。
図１１（ｂ）は、解析容器設置トレイ３が停止した状態であり、解析容器設置面１２は、図の上側が高く、下側が低くなった状態で傾斜している状態を示す。
図１１（ｃ）は、解析容器設置トレイ３を揺動している状態を示す。
この状態では、揺動することによって、解析容器設置トレイ３は時計回りと反時計回りに細かく振動する状態を形成することで、解析容器設置面１２と解析容器１１との間の摩擦力は、静摩擦から動摩擦に変化することにより小さくなる。そして、傾斜面上に配置された解析容器１１に掛かる重力によって、解析容器１１は、解析容器設置面１２を図の下側に向けて滑っていく。
【００１９】
図１１（ｄ）は、バランスボール２２を、解析容器１１の対角位置に移動するために、対角位置が低くなるように解析容器設置トレイ３を回転させて静止させた状態を示す。
この状態では、バランスボール２２は、解析容器１１の対角位置に移動する。一方、解析容器１１は、静止摩擦力が重力よりも大きい状態となっているため、解析容器１１は傾斜面上において静止したままの状態を保つことができる。
ガイドレール２３は、バランスボール２２の移動経路を形成しており、図１０に示すように、略四角形状を有している。ガイドレール２３は、略四角形の各辺の中央部分に、内側に向けて湾曲した湾曲部２４を有している。
そして、略四角形のガイドレール２３の４隅には、外側に向けてバランスボール２２の外形に沿った形状を有する窪み２５が形成されている。その結果、４隅のコーナに移動したバランスボールは、窪み２５の位置において保持されやすくなる。
【００２０】
＜解析容器の説明＞
図１２は、解析容器１１の組図を示す。
解析容器１１は、立方体形状の本体２６と、本体２６を上下方向から挟み込む上カバー２７および下カバーとなる滑動面２８とを有している。
図１３は、解析容器１１の上面図を示す。
解析容器１１は、その上面に、反時計回り方向に沿って配置された４つの点Ａ、Ｂ、Ｃ、Ｄに囲まれた、ほぼ四角形状の流体回路面１１ａを有している。４つの点Ａ、Ｂ、Ｃ、Ｄは、点Ａと点Ｃ、点Ｂと点Ｄ、がそれぞれ略四角形の流体回路面１１ａの対頂点となる。
【００２１】
流体回路面１１ａには、液体検体と液体試薬とをそれぞれ格納・分注する複数のチャンバと、それら複数のチャンバを接続する流路とが設けられている。流路およびチャンバは、大きく４つのブロックに分かれて構成されている。
１つ目のブロックは、液体検体定量部２９であって、液体検体としての血液を定量化する。２つ目のブロックは、液体試薬保持部３０であって、溶解液や洗浄液を段階的に供給する。３つ目のブロックは、ＢＦ分離部であって、反応チャンバ４０において、核酸と夾雑物とを分離する。４つ目のブロックは、核酸増幅反応部３１であって、核酸増幅試薬を混合した後、核酸を増幅する。
【００２２】
図１４は、解析容器１１のＺ−Ｚ‘断面図を示す。
解析容器１１は、２層構造となっており、上面から見て、１層目は、流路やチャンバが設けられた反応流路層５７であり、２層目は、廃液を貯める廃液貯蔵層５８となっている。
ここで、従来の解析容器は、毛細管現象やサイフォン現象などの表面張力を用いて送液するため、深さ方向に深い流路や、チャンバを形成することができなかった。そのため、従来の解析容器では、深さ方向の長さは最大でも幅方向の長さの１０分の１程度にとどまり、平面的な形状になっていた。
一方で、本実施の形態の解析容器１１は、毛細管現象を利用することなく、遠心力のみで送液を行うように構成されている。このため、流路やチャンバが、毛細管現象が生じないように深く形成されている。よって、解析容器１１の深さ方向と幅方向の長さとは、ほぼ同程度に設定され、解析容器１１の本体２６は、立体的なキューブ形状となっている。
このように、解析容器１１を従来の薄板状から立体的な形状とすることにより、同じ設置面積でも深さ方向に長いため、流路回路を平面方向に集積でき、より大量の液体、より複数種の液体を扱うことができる。
【００２３】
＜解析容器の液体検体定量部の構成説明＞
図１５は、解析容器１１の上面図を示す。
まず、液体検体定量部２９は、液体検体注入チャンバ３２と、流路３３と、液体検体の定量チャンバ３５と、流路３６と、廃液チャンバ３４と、を有している。
それぞれの位置関係は、点Ａから近い順に、廃液チャンバ３４、定量チャンバ３５、液体検体注入チャンバ３２となる。
また、液体検体注入チャンバ３２と定量チャンバ３５とは、流路３３によって接続され、定量チャンバ３５と廃液チャンバ３４とは流路３６によって接続されている。このため、遠心力が点Ｃから点Ａの方向に加わった場合には、血液は、液体検体注入チャンバ３２から流路３３を通って液体検体の定量チャンバ３５へ流入する。
このとき、定量チャンバ３５を満たして溢れ出た血液は、流路３６を通って廃液チャンバ３４に流れ込む。廃液チャンバ３４には、液体検体としての血液検体の余剰分が溜められる。そして、この余剰分の血液検体の有無を、光検出等の検出で確認することによって、十分な血液検体が注入されたか否かを確認することが可能となる。
その結果、流路３３の定量チャンバ３５には、血液が定量化されて貯められる。
【００２４】
＜解析容器の液体試薬保持部の構成説明＞
次に、液体試薬保持部３０は、液体試薬保持チャンバ３７と、液体試薬シフトチャンバ３８と、それらを接続する流路９３ａ〜９３ｆ、流路９４ａ〜９４ｅとを有している。それぞれの位置関係は、点Ａから近い順に液体試薬シフトチャンバ３８、液体試薬保持チャンバ３７となる。
この結果、遠心力が点Ｃから点Ａの方向に加わった場合には、液体試薬は、流路９３を通って、液体試薬保持チャンバ３７から液体試薬シフトチャンバ３８に移動する。
【００２５】
本実施形態では、液体試薬保持チャンバ３７と液体試薬シフトチャンバ３８との組み合わせを１ペアとすると、第１のチャンバペアから第６のチャンバペアまで、計６つの組み合わせで構成されている。図１５に示す構成では、第１のチャンバペアを液体試薬保持チャンバ３７ａと液体試薬シフトチャンバ３８ａとし、以下、第６のチャンバペアを液体試薬保持チャンバ３７ｆと液体試薬シフトチャンバ３８ｆとしている。
チャンバペア間は、隣接するチャンバペアの液体試薬シフトチャンバ３８から、液体試薬シフトチャンバ３８よりも点Ｂに近い液体試薬保持チャンバ３７に対して、流路９４によって接続されている。
【００２６】
つまり、液体試薬保持チャンバ３７と液体試薬シフトチャンバ３８との位置関係については、例えば、第１のチャンバペアでは、液体試薬シフトチャンバ３８ａが、液体試薬保持チャンバ３７ａよりも点Ａに近くなるよう配置されている。そして、液体試薬保持チャンバ３７ａは、第２のチャンバペアの液体試薬シフトチャンバ３８ｂよりも点Ｂに近くなるように配置されている。
その結果、第１〜第６までのチャンバペアの液体試薬保持チャンバ３７ａ〜３７ｆに対して、液体試薬が入れられた解析容器１１に対して、点Ｃから点Ａの方向に遠心力を加えると、液体試薬保持チャンバ３７ａ〜３７ｆに入れられた液体試薬は、液体試薬シフトチャンバ３８ａ〜３８ｆに移動する。その後、点Ｄから点Ｂの方向に遠心力を加えることによって、液体試薬シフトチャンバ３８ｂ〜３８ｆに移動した液体試薬は、隣接する液体試薬保持チャンバ３７ａ〜３７ｅに移動する。
【００２７】
そして、６種類の液体試薬は、段階的に液体試薬シフトチャンバ３８ａから、反応チャンバ４０へと移動していく。反応チャンバ４０は、液体試薬シフトチャンバ３８ａよりも点Ｂに近い位置に設けられている。このため、点Ｄから点Ｂの方向に遠心力が加わった場合には、液体試薬シフトチャンバ３８ａに入った液体試薬は、流路９０、流路９２、流路９１を通って反応チャンバ４０に移動する。
ここで、点Ｄから点Ｂの方向に遠心力が加わった場合には、液体検体の定量チャンバ３５で定量化されていた血液が、流路３９、流路９２、流路９１を通って、反応チャンバ４０に移動する。そして、液体試薬シフトチャンバ３８ａから移動してきた液体試薬と血液とが反応チャンバ４０で混ざり合う。
【００２８】
＜解析容器のＢＦ分離部と核酸増幅反応部の構成説明＞
ＢＦ分離部は、核酸と特異的に結合する磁気ビーズの入った反応チャンバ４０と、反応チャンバ４０内の廃液を下面の廃液貯蔵層５８に導入するビア４４と、定量チャンバ３５と反応チャンバ４０とを接続する流路３９、液体試薬シフトチャンバ３８ａと反応チャンバ４０とを接続する流路９０と、ビア４４と反応チャンバ４０とを接続する流路９１、そして、流路３９と流路９１、流路９０と流路９１とをそれぞれ接続する流路９２と、を有している。これらの位置関係としては、点Ｂに近い位置に反応チャンバ４０が、点Ａに近い位置にビア４４がそれぞれ配置されている。
これにより、点Ｄから点Ｂ、点Ｃから点Ａの方向へ遠心力を交互に与えることによって、反応チャンバ４０へ液体試薬を導入したり、反応チャンバ内の液体を下面の廃液貯蔵層５８へ排出したりできる。詳しくは、点Ｄから点Ｂの方向へ遠心力を与えると液体試薬シフトチャンバ３８ａ内の液体試薬が、流路９０、流路９２、流路９１を介して反応チャンバ４０へと導入される。そして、点Ｃから点Ａの方向へ遠心力が加えられると、反応チャンバ４０内の液体は、流路９１、ビア４４を介して下面の廃液貯蔵層５８へと排出される。
【００２９】
このような構成により、反応チャンバ４０への液の導入や反応チャンバ４０からの液の排出を複数回実施することができる。よって、一般的に行われている磁気ビーズを用いた核酸抽出を、解析容器１１内で実施することができる。
核酸増幅反応部３１は、核酸抽出液を定量化する定量チャンバ４１と、定量チャンバ４１から溢れた余剰液を下面の廃液貯蔵層５８へ排出するビア４３と、測定チャンバ４２と、定量チャンバ４１および測定チャンバ４２を接続する流路と、を有している。
反応チャンバ４０と定量チャンバ４１と測定チャンバ４２とは、順次、流路によって繋がっている。
測定チャンバ４２は、定量チャンバ４１よりも点Ｃに近く、定量チャンバ４１は反応チャンバ４０よりも点Ｃに近くなるように配置されている。このため、点Ａから点Ｃに遠心力が加えられた場合には、反応チャンバ４０から定量チャンバ４１へと核酸抽出液が移動する。そして、定量チャンバ４１から測定チャンバ４２へと核酸抽出液が移動する。
定量チャンバ４１と測定チャンバ４２とを接続する流路は、微細な流路である。また、流路壁面は疎水性を有しており、一定の回転数以上にならなければ定量チャンバ４１から測定チャンバ４２へ向けて核酸抽出液が流入しない。このため、測定チャンバ４２へ核酸抽出液が流入しない回転数とすると、一旦、定量チャンバ４１へ核酸抽出液を溜めることができる。
【００３０】
このとき、定量チャンバ４１に定量の核酸抽出液を溜め、定量チャンバ４１から溢れた余剰液はビア４３を介して下層の廃液貯蔵層５８へ流し込むことで核酸抽出液の定量を行うことができる。その後、回転数を上げていき、定量チャンバ４１で定量された核酸抽出液を測定チャンバ４２へ移動させる。
そして、最終工程として、測定チャンバ４２では、核酸増幅試薬と核酸抽出液とが混ざり合った状態で温度制御が行われ、特定の核酸増幅を行うとともに、光学的に、その遺伝子の有無を確認する。
なお、本実施形態において、解析装置、および解析容器は核酸増幅技術を目的として説明を行ったが、イムノアッセイ技術など、ＢＦ分離を要する解析装置、および、その解析容器としても応用可能である。
【００３１】
＜チャンバと流路の構成の特徴部分の説明＞
本実施形態における流体回路面１１ａのチャンバと流路構成について説明したが、以下ではこの構成の特徴的な部分について説明を行う。
＜図１７の流路構成についての説明＞
図１７に、流体回路面１１ａのチャンバと流路の基本的な構成の１つとして、第１のチャンバ４７と、第２のチャンバ４８と、これらチャンバ間を繋ぐ流路４９とを含む構成について説明する。
図中の点線は、チャンバと流路の位置関係を分かり易くするために引いた補助線であって、回転中心１６からの同心円である。
この２つのチャンバの位置関係としては、流体回路面１１ａの同一平面内に反時計回りに配置された点Ａ、Ｂ、Ｃ、Ｄに対して、第１のチャンバ４７は、第２のチャンバ４８よりも点Ｃに近く、点Ａからは遠くなるように配置されている。
そして、流路４９と第１のチャンバ４７との接続点６０と、流路４９と第２のチャンバ４８との接続点６１との位置関係は、接続点６０は、接続点６１よりも点Ｃに近くなるよう配置されている。
また、接続点６０は、点Ｃからの距離が第１のチャンバ４７内で最も遠い位置に配置されている。そして、チャンバ４７の内面形状は、点Ｃから遠ざかるようにして接続点６０へとつながるように形成されている。
点Ａ、Ｂ、Ｃ、Ｄは、点Ａと点Ｃ、点Ｂと点Ｄは、それぞれ解析容器１１の本体２６の四角形の対頂点となっている。
これにより、点Ｃから点Ａの方向に遠心力が加わった場合には、第１のチャンバ４７の液体試薬は、この遠心力によって、第２のチャンバ４８に向けて移動することができる。
【００３２】
＜図１８の流路構成についての説明＞
図１８は、２組の第１のチャンバ４７と第２のチャンバ４８と流路４９，５０との構成を示す。
第１のチャンバ４７ａ，４７ｂと、第２のチャンバ４８ａ，４８ｂと、流路４９ａ，４９ｂとの位置関係は、図１７で説明した第１のチャンバ４７と第２のチャンバ４８と流路４９との位置関係と同様である。具体的には、第１のチャンバ４７ａ，４７ｂは、第２のチャンバ４８ａ，４８ｂよりも、それぞれ、点Ｃに近く、点Ａからは遠くなるように配置されている。
【００３３】
そして、第１のチャンバ４７ａと第２のチャンバ４８ａとを第１組のチャンバペアとし、第１のチャンバ４７ｂと第２のチャンバ４８ｂとを第２組のチャンバペアとする。
これらの第１組の第１のチャンバ４７ａと第２組の第２のチャンバ４８ｂとは、流路５０によって接続されている。そして、第１組の第１のチャンバ４７ａは、第２組の第２のチャンバ４８ｂよりも点Ｂに近く、点Ｄからは遠くなるように配置されている。
そして、流路５０と第２のチャンバ４８ｂとの接続点６６と、流路５０と第１のチャンバ４７ａとの接続点６７との位置関係は、接続点６６は、接続点６７よりも点Ｃに近くなるよう配置されている。
また、接続点６６は、点Ｄからの距離が第２のチャンバ４８ｂ内で最も遠い位置に配置されている。そして、チャンバ４８ｂの内面形状は、点Ｄから遠ざかるようにして接続点６６へとつながるように形成されている。
【００３４】
ここで、点Ａと点Ｃ、点Ｂと点Ｄは、それぞれ解析容器１１の略四角形の本体２６の対頂点となっている。
これにより、点Ｃから点Ａに遠心力が加わった場合には、この遠心力によって、（１）第１のチャンバ４７ａの液体試薬は、第２のチャンバ４８ａへ向けて移動することができる。そして、（２）第１のチャンバ４７ｂの液体試薬は、第２のチャンバ４８ｂへ向けて移動することができる（図１９参照）。
次に、点Ｄから点Ｂに遠心力が加わった場合には、この遠心力によって（１）第２のチャンバ４８ａの液体試薬は、そのまま第２のチャンバ４８ａに保持される。そして、（２）第２のチャンバ４８ｂの液体試薬は、第１のチャンバ４７ａへ向けて移動することができる（図２０参照）。
【００３５】
そして、再び点Ｃから点Ａに遠心力が加わった場合には、この遠心力によって、（１）第２のチャンバ４８ａの液体試薬は、そのまま第２のチャンバ４８ａに保持される。そして、（２）第１のチャンバ４７ａの液体試薬は、第２のチャンバ４８ａへ向けて移動することができる（図２１参照）。
すなわち、第１のチャンバ４７ａ，４７ｂに入れられた液体試薬は、段階的に第２のチャンバ４８ａへと送液される。
本実施形態においては、第１のチャンバ４７は、液体試薬保持部３０の液体試薬保持チャンバ３７に相当し、第２のチャンバ４８は、液体試薬保持部３０の液体試薬シフトチャンバ３８に相当する。また、流路４９は、流路９３に相当し、流路５０は、流路９４に相当する。
【００３６】
したがって、６つの液体試薬保持チャンバ３７ａ〜３７ｆに保持された液体試薬を、段階的に反応チャンバ４０に供給することができる。
以上のように、同一平面内に反時計回りに配置された点Ａ、Ｂ、Ｃ、Ｄにより囲まれた流体回路面１１ａと、この流体回路面１１ａに、第１のチャンバ４７と第２のチャンバ４８を設けた解析容器であって、第１のチャンバ４７は第２のチャンバ４８よりも点Ｃに近く、点Ａからは遠くなるように配置された第１のチャンバ４７と第２のチャンバ４８を有するチャンバペアと、これらチャンバ間を繋ぐ流路４９と、を備え、前記チャンバペア（４７、４８）と、これらチャンバ間を繋ぐ流路４９とを、少なくとも２組有するとともに、第２組の第２のチャンバ４８ｂと第１組の第１のチャンバ４７ａが流路５０によって接続され、第２組の第２のチャンバ４８ｂは、第１組の第１のチャンバ４７ａよりも点Ｄに近く、点Ｂからは遠くなるように配置された構成としたので、検体と２種類以上の試薬との段階的混合を行うことができる。
【００３７】
すなわち、本実施形態では、解析容器１１に対して、点Ｃから点Ａに遠心力を加え、その後に、点Ｄから点Ｂに遠心力を加えることによって、第１のチャンバ４７内の試薬が遠心力に応じて段階的に第２のチャンバ４８から出力される。
これにより、第２のチャンバ４８ａと検体の入ったチャンバとを接続することで、検体と２種類以上の試薬との段階的混合を行うことができる。
【００３８】
＜図２２の流路構成についての説明＞
図２２は、流体回路の構成を示す。
図２２に示す流体回路の構成は、図１８に示す流体回路の構成に、第１のチャンバ４７ｃと、第２のチャンバ４８ｃと、これらの２つのチャンバを接続する流路４９ｃと、第３のチャンバ５３と、第３のチャンバ５３と第２のチャンバ４８ａとを接続する流路５１と、第３のチャンバ５３と第２のチャンバ４８ｃとを接続する流路５２と、を追加したものである。
第１のチャンバ４７ｃと、第２のチャンバ４８ｃとの位置関係は、図１７で説明した第１のチャンバ４７および第２のチャンバ４８と同様である。具体的には、第１のチャンバ４７ｃは、第２のチャンバ４８ｃよりも点Ｃに近く、点Ａからは遠くなるように配置されている。
そして、第３のチャンバ５３は、２つの第２のチャンバ４８ａ，４８ｃよりも点Ｂに近く、点Ｄからは遠くなるよう配置されている。
そして、図２３に示すように、第２のチャンバ４８ａと流路５１との接続点７３、第３のチャンバ５３と流路５１との接続点７４の位置関係は、接続点７３は接続点７４よりも点Ｄに近くなるよう配置されている。
また、第２のチャンバ４８ｃと流路５２との接続点７６、第３のチャンバ５３と流路５２との接続点７７の位置関係は、接続点７６は、接続点７７よりも点Ｄに近くなるよう配置されている。
【００３９】
接続点７３は、点Ｄからの距離が第２のチャンバ４８ａ内で最も遠い位置に配置されている。そして、チャンバ４８ａの内面形状は、点Ｄから遠ざかるように接続点７３へとつながるように形成されている。
接続点７６は、点Ｄからの距離が第２のチャンバ４８ｃ内で最も遠い位置に配置されている。そして、チャンバ４８ｃの内面形状は、点Ｄから遠ざかるようにして接続点７６へとつながるように形成されている。
接続点７４，７７は、第３のチャンバ５３内において、点Ｄからの距離が最も近い位置に配置されている。
このような配置にすることによって、点Ｃから点Ａに遠心力が加わった場合には、この遠心力によって、（１）第１のチャンバ４７ａの液体試薬は第２のチャンバ４８ａへ向けて移動することができる。そして、（２）第１のチャンバ４７ｂの液体試薬は、第２のチャンバ４８ｂへ向けて移動することができる。さらに、（３）第１のチャンバ４７ｃの血液は、第２のチャンバ４８ｃへ向けて移動することができる。（図２２参照）。
【００４０】
次に、点Ｄから点Ｂの方向に遠心力が加わった場合には、この遠心力によって（１）第２のチャンバ４８ａの液体試薬は、第３のチャンバ５３へ向けて移動することができる。そして、（２）第２のチャンバ４８ｂの液体試薬は、第１のチャンバ４７ａへ向けて移動することができる。さらに、（３）第２のチャンバ４８ｃの血液は、第３のチャンバ５３へ向けて移動することができる（図２３参照）。
次に、点Ｃから点Ａの方向に遠心力が加わった場合には、この遠心力によって、（１）第３のチャンバ５３内の液体試薬と血液はそのまま第３のチャンバ５３に保持される、そして、（２）第１のチャンバ４７ａの液体試薬は、第２のチャンバ４８ａへ向けて移動することができる（図２４参照）。
次に、点Ｄから点Ｂの方向に遠心力が加わった場合には、この遠心力によって（１）第３のチャンバ５３の液体試薬と血液はそのまま第３のチャンバ５３に保持される。そして、（２）第２のチャンバ４８ａの液体試薬は、第３のチャンバ５３へ向けて移動することができる（図２５参照）。
【００４１】
すなわち、第１のチャンバ４７ａに予め入っていた液体試薬と第１のチャンバ４７ｃに予め入っていた血液とを、第３のチャンバ５３内へ同期して投入することができる。その後、第１のチャンバ４７ｂに予め入っていた液体試薬を、第３のチャンバ５３へ段階的に投入し、混合させることができる。
本実施形態においては、第１のチャンバ４７ａ，４７ｂは、液体試薬保持部３０の液体試薬保持チャンバ３７に相当する。第２のチャンバ４８ａ，４８ｂは、液体試薬保持部３０の液体試薬シフトチャンバ３８に相当する。また、第１のチャンバ４７ｃは、液体検体定量部２９の液体検体注入チャンバ３２、第２のチャンバ４８ｃは、液体検体の定量チャンバ３５、第３のチャンバ５３は反応チャンバ４０に相当する。
また、流路４９ａ，４９ｂは、流路９３に、流路５０は流路９４に、流路４９ｃは流路３３に相当する。また、流路５１は流路９０に、流路５２は流路３９に相当する。
【００４２】
したがって、液体検体注入チャンバ３２の血液と、液体試薬保持チャンバ３７の液体試薬を反応チャンバ４０と同期をとって混合することができる。
また、液体試薬保持チャンバ３７ａ，３７ｂに入れておいた液体試薬は、段階的に液体試薬シフトチャンバ３８ａを経由して反応チャンバ４０に入れられる。よって、例えば、液体試薬として、液体試薬保持チャンバ３７ａには溶解液、液体試薬保持チャンバ３７ｂには洗浄液が入れられた構成とすることで、１回目に点Ｃから点Ａの方向に遠心力を加えた場合には、液体試薬シフトチャンバ３８ａには溶解液が入り、その後、点Ｄから点Ｂの方向に遠心力を加えると、液体試薬シフトチャンバ３８ａから反応チャンバ４０へ溶解液が移動する。
そして、２回目に点Ｃから点Ａの方向に遠心力を加えた場合には、液体試薬保持チャンバ３７ｂに入っていた洗浄液が、液体試薬シフトチャンバ３８ａに入る。これにより、その後、点Ｄから点Ｂの方向に遠心力が加えられると、液体試薬シフトチャンバ３８ａから反応チャンバ４０へ洗浄液が移動する。
【００４３】
つまり、遠心力を与える方向を段階的に変えることによって、例えば、溶解工程を行った後に、洗浄工程を実施するなど、段階的に工程を行うことができる。
本実施形態の解析容器１１では、以上のように、第１組のチャンバペア４７ａ，４８ａの第２のチャンバ４８ａと、流路５１によって接続された第３のチャンバ５３とが設けられている。そして、第３のチャンバ５３は、第１組のチャンバペア４７ａ，４８ａの第２のチャンバ４８ａよりも点Ｂに近く、点Ｄからは遠くなるよう配置されている。
この結果、解析容器１１に対して、点Ｃから点Ａの方向に遠心力を加え、その後に、点Ｄから点Ｂの方向に遠心力を加えることによって、第１のチャンバ４７内の試薬が遠心力に応じて段階的に第２のチャンバ４８から出力される。よって、第２のチャンバ４８ａと検体の入った第３のチャンバ５３とを接続することで、第３のチャンバ５３内において、検体と２種類以上の試薬との段階的混合を行うことができる。
【００４４】
＜図２６の流路構成についての説明＞
次に、図２６の流体回路についての構成を示す。
図２６に示す流体回路の構成は、図２２の流体回路の構成に、第４のチャンバ５５と、第４のチャンバ５５と第３のチャンバ５３とを接続する流路５４と、流路５４と流路５１、５２との間に設けられた流路５６と、を加えたものである。
流路５４と第３のチャンバ５３との接続点７８と、流路５４と第４のチャンバ５５との接続点７９との位置関係は、図２６に示すように、接続点７８が第３のチャンバ５３において点Ｃから一番遠い位置に設けられている。また、接続点７９が、接続点７８よりも点Ｃから離れた位置に設けられている。
そして、第４のチャンバ５５は、流体回路面１１ａの下層に設けられた廃液貯蔵層５８とビア４４によって接続されている。
これにより、点Ｃから点Ａの方向に遠心力が加わった場合には、この遠心力によって、（１）第１のチャンバ４７ａ，４７ｂの液体試薬は、第２のチャンバ４８ａ，４８ｂに向けて移動する。そして、（２）第１のチャンバ４７ｃの血液は、第２のチャンバ４８ｃに向けて移動する（図２６参照）。
【００４５】
次に、点Ｄから点Ｂの方向に遠心力が加わった場合には、この遠心力によって、（１）第２のチャンバ４８ｂに入った液体試薬は、第１のチャンバ４７ａに移動する。そして、（２）第２のチャンバ４８ａに入った液体試薬は、第３のチャンバ５３に向けて移動する。さらに、（３）第２のチャンバ４８ｃに入った血液も、第３のチャンバ５３に向けて移動する（図２７参照））。
つまり、液体試薬と血液とが、第３のチャンバ５３において、同期して混合される。
そして、再び、点Ｃから点Ａの方向に遠心力が加わった場合には、この遠心力によって、（１）第１のチャンバ４７ａの液体試薬は、第２のチャンバ４８ａに移動する。そして、（２）第３のチャンバ５３の中で混合された液体試薬と血液とは、第３のチャンバ５３から第４のチャンバ５５に向けて移動する。さらに、液体試薬と血液とは、（３）第４のチャンバ５５から廃液貯蔵層５８に移動する（図２８参照））。
【００４６】
次に、点Ｄから点Ｂの方向に遠心力が加わった場合には、（１）第２のチャンバ４８ａに入った液体試薬は、第３のチャンバ５３に向けて移動する（図２９参照））。
そして、再び、点Ｃから点Ａの方向に遠心力が加わった場合には、第３のチャンバ５３の中で混合された液体試薬は、第３のチャンバ５３から第４のチャンバ５５に向けて移動する。そして、液体試薬は、第４のチャンバ５５から廃液貯蔵層５８に移動する（図３０参照）。
つまり、第３のチャンバ５３には、第１のチャンバ４７ａ，４７ｂに予め入っていた液体試薬を、段階的に第３のチャンバ５３に移動させることができる。
また、第３のチャンバ５３に入った液体試薬は、次の段階では、第４のチャンバ５５を経由して廃液として処理される。
【００４７】
本実施形態においては、第１のチャンバ４７ａ，４７ｂは、液体試薬保持部３０の液体試薬保持チャンバ３７に相当する。第２のチャンバ４８ａ，４８ｂは、液体試薬保持部３０の液体試薬シフトチャンバ３８に相当する。また、第１のチャンバ４７ｃは、液体検体定量部２９の液体検体注入チャンバ３２、第２のチャンバ４８ｃは、液体検体の定量チャンバ３５、第３のチャンバは反応チャンバ４０に相当する。また、第４のチャンバ５５は、ビア４４に相当する。
また、流路４９ａ，４９ｂは流路９３に、流路５０は流路９４に、流路４９ｃは流路３３に相当するまた、流路５１は流路９０に、流路５２は流路３９に相当する。また、流路５６は流路９２に、流路５４は流路９１に相当する。
したがって、液体検体注入チャンバ３２の血液と、液体試薬保持チャンバ３７の液体試薬とを、反応チャンバ４０において同期をとって混合することができる。
【００４８】
また、液体試薬保持チャンバ３７ａ，３７ｂに入れておいた液体試薬は、段階的に液体試薬シフトチャンバ３８ａを経由して反応チャンバ４０に移動して行く。このため、例えば、液体試薬として、液体試薬保持チャンバ３７ａには溶解液、液体試薬保持チャンバ３７ｂには洗浄液を入れておくことで、１回目に点Ｃから点Ａの方向に遠心力を加えた場合には、液体試薬シフトチャンバ３８ａには溶解液が移動する。そして、その後、点Ｄから点Ｂの方向に遠心力を加えると、液体試薬シフトチャンバ３８ａから反応チャンバ４０へ溶解液が移動する。
そして、２回目に点Ｃから点Ａの方向に遠心力を加えた場合には、液体試薬保持チャンバ３７ｂに入っていた洗浄液が、液体試薬シフトチャンバ３８ａに移動する。そして、反応チャンバ４０の溶解液は、ビア４４に移動する。
【００４９】
その後、点Ｄから点Ｂの方向に遠心力を加えると、液体試薬シフトチャンバ３８ａから反応チャンバ４０へ洗浄液が移動する。
そして、点Ｃから点Ａの方向に遠心力を加えた場合には、反応チャンバ４０の洗浄液は、ビア４４に移動する。
つまり、遠心力を与える方向を変えることによって、例えば、溶解工程を行った後に、その溶解液を廃液として処理し、そして、洗浄工程を実施した後に、その洗浄液を廃液として処理するなど、段階的に工程を行うことが可能となる。
さらには、流路５６を設けることによって、より確実に第３のチャンバ５３内の液体を第４のチャンバ５５に移動させることができる。
図２８に示すように、接続点８０は、点Ｃから点Ａに遠心力が加わったときに形成される液面９５よりも、点Ｃに近くなるように配置している。
【００５０】
また、図２７に示すように、流路５６と流路５１，５２との接続点８０と、流路５６と流路５４との接続点８１との関係は、接続点８１は接続点８０よりも、点Ｂに近くなるように配置されている。そして、図２６に示すように、接続点８１は、接続点８０よりも点Ａに近くなるように配置されている。
これにより、（１）点Ｃから点Ａに遠心力が加わった時に、サイフォン効果が起こらないようにしてチャンバ５３内の液体が流路５４，５６を介して流路５１，５２に流入することを防止することができる。そして、（２）遠心力が点Ｃから点Ａの方向に加わっても、点Ｂから点Ｄの方向に加わっても、流路５６には常に接続点８０から接続点８１の方向にしか遠心力が働かないようにしてワンウェイ流路を形成することができる。よって、点Ｃから点Ａに遠心力が加わった時に、この遠心力によって、チャンバ５３からの廃液が流路５６を介して流路５１，５２に流入することを防止することができる。
【００５１】
本実施形態では、以上のように、流路５４によって第３のチャンバ５３と接続された第４のチャンバ５５をさらに設け、第４のチャンバ５５が、第３のチャンバ５３よりも前記点Ａに近く、点Ｃからは遠くなるように配置されている。
これにより、解析容器１１に対して、点Ｃから点Ａに遠心力を加え、その後に、点Ｄから点Ｂに遠心力を加えることによって、第１のチャンバ４７内の試薬が遠心力に応じて段階的に第２のチャンバ４８から出力される。よって、第２のチャンバ４８ａと検体の入った第３のチャンバ５３とを接続することで、第３のチャンバ５３内において、検体と２種類以上の試薬との段階的混合を行うことができる。さらに、その後、点Ｃから点Ａに遠心力が加えられると、第１のチャンバ４７から第２のチャンバ４８に試薬が移動するとともに、第３のチャンバ５３内の混合液は、第４のチャンバ５５に移動することができる。
【００５２】
すなわち、第３のチャンバ５３内の混合液を、次の試薬の準備に同期して、廃棄することができる。
さらに第３のチャンバ５３内に、混合液内の特定の成分と結合する物質を入れておくことによって、混合液内の特定の成分だけを残して、残りの混合液のみを廃棄することもできる。
特に、本実施形態においては、核酸と特異的な結合をする磁気ビーズを第３のチャンバ５３内に予め入れておき。この磁気ビーズを磁石の磁力で保持しておくことで、核酸成分を混合液から取り出して、残りの混合液を廃棄することができる。
なお、第４のチャンバ５５は、チャンバではなく、ビアのみで構成されていてもよい。
＜残液と逆流の対策＞
本実施形態のように、前に別の液体試薬が通った経路を後に送液される液体がたどる流路では、残液と逆流がしばしば問題となる。残液や逆流によって異なる成分の液体が後に送液される液体に大量に混入すると、その後の反応系に悪影響を及ぼし、測定が失敗してしまう事があるためである。
そこで、以下では、本実施の形態における残液と逆流の対策について説明する。
【００５３】
＜残液の対策＞
まず、チャンバ内のコーナは、毛細管現象が発生しないように面取り処理が施されている。
具体的には、チャンバ内の面と面で形成される角度が９０度以下となる形状を極力作らないようにする。好ましくは、面と面が交差する部分の角度が１２０度以上になるように面取り処理が施される。
これにより、チャンバ内で毛細管現象が発生しにくい状況となり、毛細管に液が入って排出されにくくなることを防止することができるため、スムーズに次のチャンバへの送液が可能となる。
【００５４】
次に、チャンバの内面形状は、チャンバから次のチャンバへ液体を送液する際に、回転中心から遠ざかるようにして、流路との接続点であるチャンバ出口へとつながるように形成されている。これは、図２６を例にすると、第1のチャンバ４７ａ〜４７ｃに対応するチャンバ出口は、接続点６０ａ〜６０ｃであって、チャンバ４７ａ〜４７ｃから次のチャンバであるチャンバ４８ａ〜４８ｃへ液体を送液する際は点Ｃから点Ａへ向けて遠心力を与える。
このとき、第1のチャンバ４７ａ〜４７ｃにおいて、それぞれのチャンバで点Ｃに最も近い点から（すなわち回転中心１６に最も近い点から）チャンバ出口へ向けて点Ｃからの距離が徐々に遠ざかるようにチャンバが形成されている。
また、図３１に示すように、チャンバの側壁においてもテーパ構造が採用され、遠心力が与えられた場合に、回転軸６２からの距離がチャンバ出口６３へ向かって徐々に遠ざかるようにチャンバが形成されている。
これにより、チャンバ内ではチャンバ出口へ向けて徐々に遠心力が大きくなりチャンバ出口で遠心力が最大となる。よって、チャンバ内の液をスムーズにチャンバ出口へと集め、次のチャンバへと送液することができる。
【００５５】
＜逆流の対策＞
まず、逆流対策の例として第２のチャンバ４８ｂを用いて説明する。
図３３（ａ）〜図３３（ｃ）は、本実施の形態における第２のチャンバ４８ｂを立体的に示した斜視図である。
本実施の形態では、場面によって遠心力が付与される方向を使い分け、解析容器設置トレイを回転させ、解析容器に遠心力を与えたり、解析容器設置トレイの回転を止めて解析容器に遠心力を与えなかったりする場合がある。よって、それぞれの場合において、チャンバ内の液体が前のチャンバへ逆流しないように留意する必要がある。
【００５６】
すなわち、図３３（ａ）に示す方向（点Ｃから点Ａ）へ遠心力が加わっても、図３３（ｂ）に示す方向（点Ｄから点Ｂ）へ遠心力が加わっても、図３３（ｃ）に示すように遠心力が加わらない場合においても、形成される液面６８，６９，７０がチャンバ入口６１ｂに接触しないように、チャンバ入口６１ｂの配置に加え、液体容量と、チャンバ容量、形状を予め設計しておく必要がある。
これにより、遠心力が付与される時も、遠心力が付与されない時も、液面がチャンバ入口を覆うことはないため、遠心力の方向を切り替えても前のチャンバへ液が逆流することを防止することができる。
次に、もう１つの逆流対策としては、チャンバとチャンバを接続する流路の一部に、ワンウェイ流路が設けられていることが好ましい。
【００５７】
図２６、２７を例にして説明する。
流路４９ａ〜４９ｃ、流路５０、流路５６は、遠心力が点Ｃから点Ａの方向に加えらえた時も、遠心力が点Ｄから点Ｂの方向に加えられた時も、液が一方向にしか流れないワンウェイ流路となっている。例えば、流路４９ａは、遠心力が点Ｃから点Ａの方向に加えられたときも（図２６参照）、点Ｄから点Ｂの方向に加えられた時も（図２７参照）、接続点６０ａから接続点６１ａへ向けた方向へ液が流れる。
このようなワンウェイ流路とするには、流路４９を例にすると、図２６に示すように、流路４９ａの接続点６０ａを、接続点６１ａより点Ｃに近い所に配置すること、そして、図２７に示すように、流路４９ａの接続点６０ａを接続点６１ａより点Ｄに近い所に配置すること、という２つの条件を同時に満たす必要がある。
【００５８】
このように、チャンバとチャンバを接続する流路の一部にワンウェイ流路を設けることで、遠心力が点Ｃから点Ａの方向に加えられた時も、点Ｄから点Ｂの方向に加えられた時も、接続点６０ａから接続点６１ａへ向けた方向へしか液が流れないようにすることができる。よって、解析容器設置トレイを揺動させたときにチャンバ入口に液が掛かってしまった場合も、遠心力によって前のチャンバへと液が逆流することを防止することができる。
さらに、同様に、廃液貯蔵層５８においても、いくつかの方向に遠心力が加えられた時も遠心力が加えられない時も、廃液貯蔵層５８の入口（ビア４４と廃液貯蔵層５８の接続点、図示なし）に、廃液で形成される液面が掛からないようにするために、廃液貯蔵層５８の入口の配置に加え、全廃液の容量、廃液貯蔵層５８の容量、高さを設計しておく必要がある。
【００５９】
これにより、遠心力が加えられた時も遠心力が加えられない時も、廃液の液面が廃液貯蔵層５８の入口を覆わないようにすることができる。よって、流体回路面１１ａから廃液貯蔵層５８に落ちた廃液が、流体回路面１１ａへ向け逆流するのを防止することができる。
なお、上記で説明した残液・逆流対策の考え方は、本実施の形態における全てのチャンバ、流路、ビア、廃液貯蔵層５８に適用されるものである。
【００６０】
＜解析工程の説明＞
以上、解析容器１１の基本的な構成を説明したところで、解析工程についての説明をする。
図１６に解析工程のフローチャートを示す。
ステップ１（Ｓ１）は、血液定量工程であり、解析容器１１に対して、点Ｃから点Ａの方向に遠心力が加えられることによって、血液は、液体検体注入チャンバ３２から流路３３を通って液体検体の定量チャンバ３５へ流入する。この時、反応チャンバ４０を満たして溢れ出た血液は、流路３６を通って廃液チャンバ３４に流れ込む。
廃液チャンバ３４には、液体検体としての血液検体の余剰分が溜められることになり、この余剰分の有無を、光検出等の検出で確認することによって、十分な血液検体が注入されたか否かを確認することができる。
その結果、流路３３の定量チャンバ３５には、血液が定量化されて貯められる。
点Ｃから点Ａの方向に遠心力が加えられると、上記のように血液が定量化されるとともに、第１〜第６までのチャンバペアの液体試薬保持チャンバ３７ａ〜３７ｆに入れられた液体試薬は、液体試薬シフトチャンバ３８ａ〜３８ｆに移動する。
【００６１】
ステップ２（Ｓ２）は、溶解工程であって、解析容器１１に対して、点Ｄから点Ｂの方向に遠心力を加えることによって、液体検体の定量チャンバ３５で定量化された血液は、流路３９を経由して、反応チャンバ４０に移動する。そして、液体試薬シフトチャンバ３８ａに入っていた溶解液も、流路を経由して反応チャンバ４０に移動し、血液と混合される。また、同時に、液体試薬シフトチャンバ３８ｂ〜３８ｆに入れられた液体試薬は、液体試薬保持チャンバ３７ａ〜３７ｅに移動する。
その後、回転を停止し、解析容器設置トレイ３を揺動させることによって、反応チャンバ４０内の血液と、溶解液と、磁気ビーズとを撹拌・混合させる。これにより、溶解液は、血中の細胞の細胞壁を溶かして核酸を露出させる働きがあるので、反応チャンバ４０内の血液は、細胞壁が溶けて、内部の核酸が溶解液中に放出された状態となる。
【００６２】
ここで、反応チャンバ４０に予め入っていた磁気ビーズは、核酸と特異的な結合をする。そのため、反応チャンバ４０内には、核酸と結合した磁気ビーズと、それ以外の成分とが混在した状態となっている。
ステップ３（Ｓ３）は、廃液工程であって、解析容器１１に対して、点Ｃから点Ａの方向に遠心力を加えることによって、反応チャンバ４０内における核酸と結合した磁気ビーズと、それ以外の成分とには、ビア４４方向に力が加わる。
ここで、解析容器１１に対して、点Ｃから点Ａの方向に遠心力を加える状態は、図７において、解析容器１１が図面上の左上のコーナに配置された状態となる。この状態においては、内壁１４ａの側には、磁石４５が設けられている。よって、磁石４５の磁力によって、反応チャンバ４０内の磁気ビーズは引き付けられているので、点Ｃから点Ａの方向に遠心力が加えられても、磁気ビーズはビア４４方向には移動しない。その結果、磁気ビーズ以外の成分を含んだ液がビア４４方向に移動し、下面の廃液貯蔵層５８に流れ込む。
【００６３】
また、同時に、液体試薬保持チャンバ３７ａ〜３７ｅの液体試薬は、液体試薬シフトチャンバ３８ａ〜３８ｅに移動する。
ステップ４（Ｓ４）は、洗浄工程であって、解析容器１１に対して、点Ｄから点Ｂの方向に遠心力を加えることによって、液体試薬シフトチャンバ３８ａから洗浄液が反応チャンバ４０内に移動する。それと同時に、液体試薬シフトチャンバ３８ｂ〜３８ｅにある液体試薬は、液体試薬保持チャンバ３７ａ〜３７ｅに移動する。
その後、回転を停止し、解析容器設置トレイ３を揺動させることによって、反応チャンバ４０内の洗浄液と磁気ビーズを撹拌・混合させる。
ここで、図７を用いて説明する。解析容器１１に対して、点Ｄから点Ｂの方向に遠心力を加える状態は、図７において、解析容器１１が図面上の左下のコーナに配置された状態となる。この状態においては、内壁１４ａの側には、磁石４５が設けられているが、反応チャンバ４０には磁力が作用しない。よって、磁気ビーズが磁力により凝集することなく、解析容器設置トレイ３を揺動して反応チャンバ４０内の磁気ビーズと洗浄液とを撹拌することにより、効率良く磁気ビーズを洗浄することができる。
【００６４】
これにより、反応チャンバ４０内の核酸と結合した磁気ビーズ以外の成分を洗浄することができる。
ステップ５（Ｓ５）は、廃液工程である。
ステップ４の洗浄工程とステップ５の廃液工程とは、液体試薬保持チャンバ３７ａ〜３７ｆに予め保持された洗浄液の分だけ、繰り返し実行される。
ステップ６（Ｓ６）は、溶出工程であって、解析容器１１に対して、点Ｄから点Ｂの方向に遠心力を加えることによって、溶出液が液体試薬シフトチャンバ３８ａから反応チャンバ４０内に移動する。そして、溶出液は、その作用により磁気ビーズから核酸を遊離させる。
その後、回転を停止し、解析容器設置トレイ３を揺動させることによって反応チャンバ４０内の溶出液と、磁気ビーズを撹拌・混合させる。
【００６５】
ステップ７（Ｓ７）は、核酸抽出液定量工程であって、解析容器１１に対して、点Ａから点Ｃの方向に遠心力を加えることによって、核酸を含んだ溶出液を定量チャンバ４１で定量化し、その反応液が定量チャンバ４１から測定チャンバ４２へと移動する。
ここで、解析容器１１に対して、点Ａから点Ｃの方向に遠心力を加える状態は、図７において、解析容器１１が図面上の右下のコーナに配置された状態となる。
この状態では、内壁１４ｂの側には、磁石４６が設けられている。反応チャンバ４０内の磁気ビーズは、磁石４６の磁力によって引き付けられているので、点Ａから点Ｃの方向に遠心力が加えられても、定量チャンバ４１方向には移動しない。
その結果、核酸を含んだ液が定量チャンバ４１方向に移動し、測定チャンバ４２へと流れ込む。
【００６６】
ステップ８（Ｓ８）は、核酸増幅工程であって、測定チャンバ４２内の核酸増幅試薬と核酸抽出液とが混ざり合った状態で、解析容器１１の回転を停止し、そして解析容器１１に対して適切な温度制御を行い、核酸の増幅を行う。
ステップ９（Ｓ９）は、遺伝子検出工程であって、例えば、増幅曲線によって核酸増幅工程による増幅の有無を確認する。検出は一般的に行われている手法を利用することができ、例えば、光学的手法や電気化学的手法を用いることができる。
＜解析容器の位置と移動についての説明＞
再び、図７に戻って説明を行う。
解析容器設置トレイ３上の解析容器設置面１２は、四方を内壁１４に囲まれた四角形状となっている。図７においては、この四角形状を特定するために、四角形状の四つの頂点について、左上から反時計回りに、１コーナ、２コーナ、３コーナ、４コーナと定義している。
【００６７】
また、解析容器１１については、上面の形状は四角形状であり、左上から反時計回りに点Ａ、点Ｂ、点Ｃ、点Ｄに囲まれた形状となっている。
本実施形態では、解析容器１１が解析容器設置トレイ３上の位置に応じて、遠心力が働く向きを変化させる。
解析容器１１が図面上の左上の１コーナに配置された場合には、回転中心１６は、解析容器１１の右下になる。よって、遠心力が働く向きは、矢印１７ａの向きとして、解析容器１１の右下から左上の対角線の向き、つまり解析容器１１の点Ｃから点Ａの向きに遠心力が加えられる。
すなわち、解析工程において、ステップ１（Ｓ１）の血液定量工程と、ステップ３（Ｓ３）の廃液工程とでは、解析容器１１は、１コーナに位置決めされている。
【００６８】
次に、解析容器１１が図面上の左下の２コーナに配置された場合には、回転中心１６は解析容器１１の右上になるので、遠心力が働く向きは、矢印１７ｂの向きとして、解析容器１１の右上から左下の対角線の向き、つまり解析容器１１の点Ｄから点Ｂの向きに遠心力が加えられる。
すなわち、解析工程において、ステップ２（Ｓ２）の溶解工程と、ステップ４（Ｓ４）の洗浄工程と、ステップ６（Ｓ６）の溶出工程とでは、解析容器１１は、２コーナに位置決めされている。
解析容器１１が図面上の右下のコーナに配置された場合には、回転中心１６は解析容器１１の左上になる。よって、遠心力が働く向きは、矢印１７ｃの向きとして、解析容器１１の左上から右下の対角線の向き、つまり、解析容器１１の点Ａから点Ｃの向きに遠心力が加えられる。
【００６９】
すなわち、解析工程において、ステップ７（Ｓ７）の核酸抽出液定量工程では、解析容器１１は、３コーナに位置決めされている。
次に、解析容器１１が、解析容器設置トレイ３上の解析容器設置面１２上を移動する状態を説明する。
まず、解析工程において、ステップ１（Ｓ１）の血液定量工程と、ステップ３（Ｓ３）の廃液工程とでは、解析容器１１は、１コーナに位置決めされる。
この位置決めの際には、解析容器１１は、コーナ２の位置から、コーナ１の位置に移動する。移動の際には、解析容器設置面１２は、コーナ２を上側、コーナ１を下側にして傾斜した状態となる。そして、解析容器設置面１２を周期的に揺動させることで、解析容器１１の下面と解析容器設置面１２との間の摩擦が静止摩擦から動摩擦に変化する。これにより、傾斜面上に配置された解析容器１１に掛かる重力が、動摩擦力よりも大きくなることによって、解析容器１１は、解析容器設置面１２を滑りながらコーナ２からコーナ１に移動する。
【００７０】
次に、解析工程において、ステップ２（Ｓ２）の溶出工程と、ステップ４（Ｓ４）の洗浄工程と、ステップ６（Ｓ６）の溶出工程とでは、解析容器１１は、２コーナに位置決めされる。
この位置決めの際には、解析容器１１は、コーナ１の位置からコーナ２の位置に移動する。移動の際には、解析容器設置面１２は、コーナ１を上側、コーナ２を下側にして傾斜した状態となる。そして、解析容器設置面１２を周期的に揺動させることで、解析容器１１の下面と解析容器設置面１２との間の摩擦が静止摩擦から動摩擦に変化する。これにより、傾斜面上に配置された解析容器１１に掛かる重力が、動摩擦力よりも大きくなることによって、解析容器１１は、解析容器設置面１２を滑りながらコーナ１からコーナ２に移動する。
【００７１】
次に、解析工程におけるステップ７（Ｓ７）の核酸抽出液定量工程では、解析容器１１は、３コーナに位置決めされる。
この位置決めの際には、解析容器１１は、コーナ２の位置からコーナ３の位置に移動する。移動の際には、解析容器設置面１２は、コーナ２を上側、コーナ３を下側にして傾斜した状態となる。そして、解析容器設置面１２を周期的に揺動させることで、解析容器１１の下面と解析容器設置面１２との間の摩擦が静止摩擦から動摩擦に変化する。これにより、傾斜面上に配置された解析容器１１に掛かる重力が、動摩擦力よりも大きくなることによって、解析容器１１は、解析容器設置面１２を滑りながらコーナ２からコーナ３に移動する。
次に、上記各工程において、解析容器設置トレイ３上において移動する解析容器１１とバランスボール２２とのバランスをとるための位置関係を調整する制御について、図３４を用いて説明すれば以下の通りである。
【００７２】
すなわち、ステップ１１（Ｓ１１）では、解析容器設置トレイ３の回転方向における位置決めを行う。具体的には、解析容器１１を移動させる位置が、解析容器設置トレイ３上における傾斜面の下方になるように回転制御が実施される（図１１（ｂ）参照）。
次に、ステップ１２（Ｓ１２）では、解析容器設置トレイ３を揺動させる（図１１（ｃ）参照）。具体的には、解析容器設置トレイ３を時計回りと反時計回りに細かい周期で反転させることで、解析容器設置トレイ３を揺動させた状態を形成する。
これにより、解析容器設置面１２と解析容器１１との間の摩擦力は、静摩擦から動摩擦に変化することによって小さくすることができる。
次に、ステップ１３（Ｓ１３）では、解析容器設置トレイ３の傾斜面上に配置された解析容器１１に掛かる重力によって、解析容器１１は、解析容器設置面１２を図の下側に向けて滑って移動していく（図１１（ｃ）参照）。
【００７３】
次に、ステップ１４（Ｓ１４）では、解析容器設置トレイ３の位置決めを行う。具体的には、バランスボール２２を、解析容器１１の対角位置（傾斜下方）に移動させるために、対角位置が低くなるように解析容器設置トレイ３を回転させて静止させる（図１１（ｄ）参照）。
次に、ステップ１５（Ｓ１５）では、重量によってバランスボール２２は、解析容器１１の対角位置に移動する（図１１（ｄ）参照）。
なお、このとき、解析容器１１は、静止摩擦力が重力よりも大きい状態となっているため、解析容器１１は傾斜面上において静止したままの状態を保つことができる。
次に、ステップ１６（Ｓ１６）では、解析容器設置トレイ３の高速回転を開始する。
以上のように、本実施形態の解析装置では、解析容器設置トレイ３上において解析容器１１を所望の位置へ移動させながら各工程が実施される際に、バランスボール２２を解析容器１１とは対角線上に移動させるように制御する。
【００７４】
これにより、解析容器設置トレイ３上におけるどの位置に解析容器１１がある場合でも、常に、解析容器１１とバランスボール２２とがバランスが取れた状態で解析容器設置トレイ３を高速回転させることができる。
よって、安定した状態で各工程を実施することができる。
次に、本実施形態の解析装置および解析容器１１に用いられる各部品の仕様について説明する。
本実施形態においては、解析容器設置面１２の材質は、例えば、ポリエチレンテレフタレート（PET）、ポリメチルメタクリレート（PMMA）、ポリカーボネート（PC）、ポリスチレン（PS）、ポリプロピレン（PP）、ポリエチレン（PE）、スチレン樹脂（ABS）、シクロオレフィンポリマー（COP）などの有機材料や、アルミ、チタン、シリコン、ガラス、石英などの無機材料を用いることができる。
【００７５】
また、解析容器１１の下面に設けられた滑動面２８の材質は、特に限定されないが、例えば、ポリエチレンテレフタレート（PET）、ポリメチルメタクリレート（PMMA）、ポリカーボネート（PC）、ポリスチレン（PS）、ポリプロピレン（PP）、ポリエチレン（PE）、スチレン樹脂（ABS）、シクロオレフィンポリマー（COP）等の有機材料や、アルミ、チタン、シリコン、ガラス、石英などの無機材料を用いることができる。
そして、解析容器の重さは約１０ｇであり、現在の静摩擦係数０．５程度であることから、この静摩擦係数から求められる滑り出しの傾斜角度は約２７度と算出される。
このような条件下で、解析容器設置面１２の傾斜角度は、約１５度に設定されている。
この傾斜角度は、静摩擦係数から求まる滑り出し角度より小さく、かつ動摩擦係数で求まる滑り出し角度より大きく設定されている。このような傾斜角度にすることによって、揺動すると解析容器１１は、解析容器設置面１２の上をスライドするが、揺動しないとスライドしないという状態を形成することができる。このため、静摩擦と動摩擦の差は大きい程好ましい。
【００７６】
そして、揺動の周期および振幅角度については、揺動角３．６度、揺動周波数は３０Ｈｚとしている。
以上のように本実施形態の解析装置は、本体ケース１と、本体ケース１内に設けられ、鉛直方向に対して回転軸４が傾斜角度を有する回転駆動部５と、回転駆動部５の回転軸４に接続され、解析容器設置面１２を有する解析容器設置トレイ３と、回転駆動部５の回転を制御する制御部と、を備えている。
これにより、装置の構成を簡素化することができる。
すなわち、本実施形態の解析装置においては、回転軸４が鉛直方向に対して傾斜角度を有している。
これにより、回転軸４に接続された解析容器設置トレイ３も水平方向に対して傾斜した状態となる。よって、制御部８が回転駆動部５の回転を制御することにより、解析容器１１は、解析容器設置トレイ３の解析容器設置面１２を滑りながら解析容器設置トレイ３上の位置を変えることができる。
【００７７】
その結果、解析容器１１に対する解析容器設置トレイ３の回転中心位置が変わるので、解析容器１１に対する遠心力の向きを変えることができる。
これにより、解析容器１１を解析容器設置トレイ３に対して相対的に移動する機構を設けることなく、解析容器１１に対する遠心力の向きを変えることができるため、装置の構成を簡素化することができる。
【産業上の利用可能性】
【００７８】
以上のように本発明の解析容器は、本体と、本体内に設けられ、表面に形成された溝に沿って流体を移動させる流体回路面と、本体の下部に設けられている滑動面と、を備えている。よって、装置の構成を簡素化することができる。
すなわち、本発明の解析容器は、解析装置の解析容器設置トレイに取り付けられる。この状態で解析容器に遠心力が加わると、解析容器は、滑動面によって解析容器設置トレイの解析容器設置面を滑り得る。よって、解析容器の解析容器設置トレイ上の位置を変えることができる。
その結果、解析容器に対する解析容器設置トレイの回転中心位置が変わるので、解析容器に対する遠心力の向きを変えることができる。
これにより、先行技術のような複数の回転機構を有することなく、解析容器に対する遠心力の向きを変えることが可能となるので、装置の構成を簡素化することができる。
【００７９】
したがって、遺伝子などの解析装置としての適用が大いに期待されるものである。
【符号の説明】
【００８０】
１      本体ケース
２      開口部
３      解析容器設置トレイ
４      回転軸
５      回転駆動部
６      表示部
７      操作部
８      制御部
９      光学検出部
１０      温度制御部
１１      解析容器
１１ａ    流体回路面
１２      解析容器設置面
１３      矢印
１４，１４ａ，１４ｂ，１４ｃ，１４ｄ  内壁
１５      突起
１６      回転中心
１７ａ，１７ｂ，１７ｃ  矢印
２０      ガイド
２１      レール
２２      バランスボール
２３      ガイドレール
２４      湾曲部
２５      窪み
２６      本体
２７      上カバー
２８      滑動面（下カバー）
２９      液体検体定量部
３０      液体試薬保持部
３１      核酸増幅反応部
３２      液体検体注入チャンバ
３３      流路
３４      廃液チャンバ
３５      定量チャンバ
３６      流路
３７，３７ａ，３７ｂ，３７ｃ，３７ｄ，３７ｆ  液体試薬保持チャンバ
３８，３８ａ，３８ｂ，３８ｃ，３８ｄ，３８ｆ  液体試薬シフトチャンバ
３９      流路
４０      反応チャンバ
４１      定量チャンバ
４２      測定チャンバ
４３      ビア
４４      ビア
４５      磁石
４６      磁石
４７，４７ａ，４７ｂ，４７ｃ  第１のチャンバ
４８，４８ａ，４８ｂ，４８ｃ  第２のチャンバ
４９，４９ａ，４９ｂ，４９ｃ  流路
５０      流路
５１      流路
５２      流路
５３      第３のチャンバ
５４      流路
５５      第４のチャンバ
５６      流路
５７      反応流路層
５８      廃液貯蔵層
６０      接続点（チャンバ出口）
６１      接続点（チャンバ入口）
６２      回転軸
６３      チャンバ出口
６４      テーパ
６５      液面
６６      接続点
６７      接続点
６８      液面
６９      液面
７０      液面
７３      接続点
７４      接続点
７６      接続点
７７      接続点
７８      接続点
７９      接続点
８０      接続点
８１      接続点
８２      ＬＥＤ（解析容器検出部）
８３      フォトセンサ（解析容器検出部）
８４      円内
８５      ４隅
８６      ビア
９０      流路
９１      流路
９２      流路
９３      流路
９４      流路
【図１】
2016217763.tif 000003
【図２】
2016217763.tif 000004
【図３】
2016217763.tif 000005
【図４】
2016217763.tif 000006
【図５】
2016217763.tif 000007
【図６】
2016217763.tif 000008
【図７】
2016217763.tif 000009
【図８】
2016217763.tif 000010
【図９】
2016217763.tif 000011
【図１０】
2016217763.tif 000012
【図１１】
2016217763.tif 000013
【図１２】
2016217763.tif 000014
【図１３】
2016217763.tif 000015
【図１４】
2016217763.tif 000016
【図１５】
2016217763.tif 000017
【図１６】
2016217763.tif 000018
【図１７】
2016217763.tif 000019
【図１８】
2016217763.tif 000020
【図１９】
2016217763.tif 000021
【図２０】
2016217763.tif 000022
【図２１】
2016217763.tif 000023
【図２２】
2016217763.tif 000024
【図２３】
2016217763.tif 000025
【図２４】
2016217763.tif 000026
【図２５】
2016217763.tif 000027
【図２６】
2016217763.tif 000028
【図２７】
2016217763.tif 000029
【図２８】
2016217763.tif 000030
【図２９】
2016217763.tif 000031
【図３０】
2016217763.tif 000032
【図３１】
2016217763.tif 000033
【図３２】
2016217763.tif 000034
【図３３】
2016217763.tif 000035
【図３４】
2016217763.tif 000036